(57)【特許請求の範囲】
【請求項１】
水が流れる給水管（５１ａ）と、
前記給水管を流れる水よりも温度の高い温水が流れる給湯管（５２ａ）と、
前記給水管及び前記給湯管が接続されており、前記給水管を流れる水と前記給湯管を流れる温水とを混合する混合弁（５４）と、
前記混合弁に接続されており、前記混合弁において混合された水及び温水からなる混合水を供給部に流すための供給管（５３ａ）と、
前記供給部への混合水の供給が再開されたか否かを判断する判断部（１９１）と、前記供給部への混合水の供給が再開された後の混合水の温度変化を監視する監視部（１９５）とを有し、前記混合弁の開度を調整することで、前記混合弁において混合される水と温水との混合割合を変更する制御部（１９０）と、
を備え、
前記制御部は、
前記供給部への混合水の供給が休止されたときに、前記供給部への混合水の供給が休止される前の所定開度から、前記所定開度における混合水の水と温水との混合割合よりも水或いは温水の割合の大きい開度であって前記監視部の監視結果に基づいて決定した休止開度となるように、前記混合弁の開度を調整し、
前記判断部によって前記供給部への混合水の供給が再開されたと判断されたときに、前記休止開度から前記所定開度となるように、直ちに前記混合弁の開度を調整する、
給湯装置（１）。
【請求項２】
前記供給部から供給される混合水の温度を設定可能な設定部（１８６）と、
前記供給管を流れる混合水の温度を検出可能な検出部（Ｔ９）と、
を更に備え、
前記制御部は、前記供給部への混合水の供給時の開度であって、前記検出部によって検出される混合水の温度と前記設定部によって設定される設定温度との差が所定範囲内となったときの前記混合弁の開度を、前記所定開度に決定する、
請求項１に記載の給湯装置。
【請求項３】
前記制御部は、前記監視部によって監視された混合水の温度変化が高温側への変化である場合には、前記所定開度における混合水の水と温水との混合割合よりも水の割合が大きくなるように、前記休止開度を決定する、
請求項１又は２に記載の給湯装置。
【請求項４】
前記制御部は、前記監視部によって監視された混合水の温度変化が低温側への変化である場合には、前記所定開度における混合水の水と温水との混合割合よりも温水の割合が大きくなるように、前記休止開度を決定する、
請求項１から３のいずれか１項に記載の給湯装置。
【発明の詳細な説明】
【技術分野】
【０００１】
本発明は、給湯装置に関する。
【背景技術】
【０００２】
従来より、給水管を流れる水と給湯管を流れる温水とを混合した混合水を、蛇口等の供給部に供給する給湯装置がある。このような給湯装置では、給水管を流れる水と給湯管を流れる温水との混合割合を変更することで、混合水の温度を、予め設定されている設定温度に近づけるものがある。また、給水管を流れる水と給湯管を流れる温水とを混合するために、給水管及び給湯管の接続された混合弁が用いられることがある。
【０００３】
例えば、特許文献１（特開２００６−１２５７７３号公報）に開示されている給湯システムは、給水管と、給湯管と、給水管からの水と給湯管からの湯（温水に相当）とを混合する電動湯水混合弁と、電動湯水混合弁からの混合湯（混合水に相当）を供給する混合給湯管（供給管に相当）とを備えている。また、この給湯システムでは、混合湯の供給再開時における大幅な湯温変動を防ぐために、混合湯の供給時において混合湯の温度と設定温度とが等しくなったときの電動湯水混合弁の開度を安定開度として記憶し、記憶した安定開度で混合湯の供給が再開されるように、電動温水混合弁の開度が調整されている。
【発明の概要】
【発明が解決しようとする課題】
【０００４】
ところで、供給再開前の供給休止中に混合弁の開度が安定開度等の所定開度に調整されている場合、供給再開直後に供給部に供給される混合水の温度が、設定温度よりも高く、或いは、低くなることがある。すると、混合水の供給再開後に、設定温度とは異なる温度の混合水が供給部に供給され、利用者に不快感を与えることになる。
【０００５】
そこで、本発明の課題は、利用者に不快感を与えるおそれを低減することができる給湯装置を提供することにある。
【課題を解決するための手段】
【０００６】
本発明の第１観点に係る給湯装置は、給水管と、給湯管と、混合弁と、供給管と、制御部と、を備える。給水管には、水が流れる。給湯管には、給水管を流れる水よりも温度の高い温水が流れる。混合弁には、給水管及び給湯管が接続されている。また、混合弁は、給水管を流れる水と給湯管を流れる温水とを混合する。供給管は、混合弁に接続されている。また、供給管は、混合弁において混合された水及び温水からなる混合水を、供給部に流す。制御部は、判断部と、監視部とを有する。判断部は、供給部への混合水の供給が再開されたか否かを判断する。監視部は、供給部への混合水の供給が再開された後の混合水の温度変化を監視する。また、制御部は、混合弁の開度を調整することで、混合弁において混合される水と温水との混合割合を変更する。また、制御部は、供給部への混合水の供給が休止されたときに、所定開度から休止開度となるように、混合弁の開度を調整する。所定開度とは、供給部への混合水の供給が休止される前の混合弁の開度である。休止開度とは、所定開度における混合水の水と温水との混合割合よりも水或いは温水の割合の大きい混合弁の開度であって、監視部の監視結果に基づいて決定される開度のことである。また、制御部は、判断部によって供給部への混合水の供給が再開されたと判断されたときに、休止開度から所定開度となるように、直ちに混合弁の開度を調整する。
【０００７】
本発明者は、鋭意検討した結果、供給部への混合水の供給が休止されてから供給が再開されるまでの間の混合弁の開度を調整することで、供給再開直後に供給部に供給される混合水の温度が設定温度に近づくことを見出した。
【０００８】
そこで、本発明の第１観点に係る給湯装置では、供給部への混合水の供給が休止されたときに、所定開度から休止開度となるように混合弁の開度が調整され、供給部への混合水の供給が再開されたときに、休止開度から所定開度となるように混合弁の開度が調整される。このため、混合水の供給再開直後に、設定温度と異なる温度の混合水が供給部に供給されるおそれを低減することができる。
【０００９】
これによって、利用者に不快感を与えるおそれを低減することができる。
【００１０】
また、この給湯装置では、供給部への混合水の供給が再開されたときに、直ちに混合弁の開度が所定開度に調整されるため、供給再開後に供給部から供給される混合水の温度と、設定温度との間に差を生じさせにくくすることができる。
【００１１】
さらに、この給湯装置では、監視部の監視結果に基づいて休止開度が決定されるため、供給される混合水の温度変化に応じて休止開度を決定することができる。
【００１２】
本発明の第２観点に係る給湯装置は、第１観点の給湯装置において、設定部と、検出部と、を更に備える。設定部は、供給部から供給される混合水の温度を設定可能である。検出部は、供給管を流れる混合水の温度を検出可能である。また、制御部は、供給部への混合水の供給時の開度であって、検出部によって検出される混合水の温度と、設定部によって設定される設定温度との差が所定範囲内となったときの混合弁の開度を、所定開度に決定する。このため、例えば、所定開度が設定温度とは無関係な開度に決定される場合と比較して、供給再開後に供給部から供給される混合水の温度と、設定温度との差を小さくすることができる。
【００１３】
本発明の第３観点に係る給湯装置は、第１観点又は第２観点に係る給湯装置において、制御部は、監視部によって監視された混合水の温度変化が高温側への変化である場合には、所定開度における混合水の水と温水との混合割合よりも水の割合が大きくなるように、休止開度を決定する。この給湯装置では、供給が再開された後の混合水の温度変化が高温側への変化である場合には、所定開度における混合水の水と温水との混合割合よりも水の割合が大きくなるように休止開度を決定することができる。
【００１４】
本発明の第４観点に係る給湯装置は、第１観点から第３観点のいずれかの給湯装置において、制御部は、監視部によって監視された混合水の温度変化が低温側への変化である場合には、所定開度における混合水の水と温水との混合割合よりも温水の割合が大きくなるように、休止開度を決定する。この給湯装置では、供給が再開された後の混合水の温度変化が低温側への変化である場合には、所定開度における混合水の水と温水との混合割合よりも温水の割合が大きくなるように休止開度を決定することができる。
【発明の効果】
【００１５】
本発明の第１観点に係る給湯装置では、利用者に不快感を与えるおそれを低減することができる。
【００１６】
本発明の第２観点に係る給湯装置では、供給再開後に供給部から供給される混合水の温度と設定温度との差を小さくすることができる。
【００１７】
本発明の第３観点に係る給湯装置では、供給が再開された後の混合水の温度変化が高温側への変化である場合には、所定開度における混合水の水と温水との混合割合よりも水の割合が大きくなるように休止開度を決定することができる。
【００１８】
本発明の第４観点に係る給湯装置では、供給が再開された後の混合水の温度変化が低温側への変化である場合には、所定開度における混合水の水と温水との混合割合よりも温水の割合が大きくなるように休止開度を決定することができる。
【図面の簡単な説明】
【００１９】
【図１】本発明の第１実施形態に係る貯湯式給湯装置の配管系統図。
【図２】制御装置の制御ブロック図。
【図３】開度制御部による給湯混合弁の制御の流れを示すフローチャート。
【図４】混合水の温度と給湯混合弁の開度との関係を示す図。
【図５】混合水の温度と給湯混合弁の開度との関係を示す図。
【図６】本発明の第２実施形態に係る貯湯式給湯装置の備える制御装置の制御ブロック図。
【図７】温度変化値範囲と補正量との対応関係を示す図。
【図８】開度制御部による給湯混合弁の制御の流れを示すフローチャート。
【図９】開度制御部による給湯混合弁の制御の流れを示すフローチャート。
【発明を実施するための形態】
【００２０】
以下、図面を参照しながら、本発明の実施形態に係る貯湯式給湯装置（給湯装置に相当）１について説明する。なお、以下の実施形態は、本発明の具体例であって、本発明の技術的範囲を限定するものではない。
【００２１】
＜第１実施形態＞
（１）貯湯式給湯装置の構成
貯湯式給湯装置１は、加熱手段（本実施形態では、ヒートポンプユニット８３）により沸き上げられた温度の高い水（以下より、常温の水よりも温度の高い水を湯という）、又は、水を、貯湯ユニット１０の備える貯湯タンク１１に貯湯し、その貯湯した湯及び水（以下、湯水という）を、利用者の操作に応じて、浴槽１８に供給したり、又は、浴槽１８以外の供給部１６（例えば、シャワーや台所の蛇口等）１６に供給したりするものである。
【００２２】
また、この貯湯式給湯装置１は、主に、ヒートポンプユニット８３と、貯湯ユニット１０と、制御装置９０と、を備えている（図１及び図２参照）。以下に、貯湯式給湯装置１の備える各種構成部品について説明する。
【００２３】
（２）ヒートポンプユニットの構成
ヒートポンプユニット８３は、湯を作り出すための熱源装置として電力を得て機能する。具体的には、ヒートポンプユニット８３は、冷媒（例えば、二酸化炭素冷媒等）が循環する冷媒回路を備えている。また、冷媒回路では、圧縮機の吐出側、水熱交換器の冷媒側、内部熱交換器内の高圧側、膨張弁、空気熱交換器、内部熱交換器内の低圧側、圧縮機の吸入側、の順に各機器が接続されており、内部に冷媒を循環させている。
【００２４】
内部熱交換器は、高圧側の配管を流れる冷媒と、低圧側の配管を流れる冷媒と、の間で熱交換を行わせる。水熱交換器は、冷媒管を有しており、圧縮機によって吐出され冷媒管に流入した高温の冷媒と、後述する貯湯ユニット１０の貯湯往き管２１から水管２５に流入した湯水と、の間で熱交換を行わせる。この水熱交換器における熱交換によって、冷媒管を通過する冷媒が冷却され、水管２５を通過する湯水が加熱されることで、後述する貯湯ユニット１０の貯湯戻り管２２に流入する湯水の温度を上げることができる。この結果、貯湯ユニット１０の貯湯戻り管２２には、貯湯往き管２１を流れる湯水の温度よりも高い温度の湯水が流れることになる。
【００２５】
また、ヒートポンプユニット８３は、各種センサを備えている。各種センサとしては、冷媒に関する温度や圧力を検知するセンサ等がある。具体的には、各種センサとしては、圧縮機の吸入側を通過する冷媒圧力を検知する吸入圧力センサ、圧縮機の吸入側を通過する冷媒温度を検知する吸入サーミスタ、圧縮機の吐出側を通過する冷媒圧力を検知する吐出圧力センサ、圧縮機の吐出側を通過する冷媒温度を検知する吐出サーミスタ、水熱交換器を通過することで冷却された冷媒の温度を検知する水熱交換後冷媒サーミスタ、外気の温度を検知する外気サーミスタ、及び、空気熱交換器において加熱された後の冷媒の温度を検知する空気熱交換後冷媒サーミスタ等があり、これら各種センサは、制御装置９０が検知値を把握可能なように設けられている。
【００２６】
（３）貯湯ユニットの構成
貯湯ユニット１０は、市水等の外部から供給される常温の水をヒートポンプユニット８３から得られる熱によって加熱し、蓄えつつ、利用する装置である。また、貯湯ユニット１０は、図１に示すように、貯湯タンク１１、貯湯用循環回路２０、追焚熱交換器１２、追焚熱源回路３０、追焚利用回路４０、給湯配管系５０、及び、配管継手７０等を備えている。
【００２７】
貯湯ユニット１０は、略直方体形状を呈するケーシング１３を備えている。また、貯湯タンク１１、貯湯用循環回路２０の一部、追焚熱交換器１２、追焚熱源回路３０、追焚利用回路４０、給湯配管系５０の一部、及び、配管継手７０の一部は、ケーシング１３内に収納されている（図１参照）。
【００２８】
（３−１）貯湯タンク
貯湯タンク１１は、ヒートポンプユニット８３由来の熱によって得られる湯、及び水を、利用者に利用される前から予め蓄えておくためのタンクである。貯湯タンク１１は、例えば、円筒形状に形成されており、内部に湯水を溜めることができる。
【００２９】
また、貯湯タンク１１の上部には、水温サーミスタＴ１が配設されており、貯湯タンク１１の側面には、複数の残湯量サーミスタＴ２〜Ｔ６が、上下に渡って所定の間隔をあけて配設されている。水温サーミスタＴ１及び残湯量サーミスタＴ２〜Ｔ６は、貯湯タンク１１内の湯水の温度を測定するものである。また、水温サーミスタＴ１及び残湯量サーミスタＴ２〜Ｔ６は、それぞれ、貯湯タンク１１の残湯量に対応する高さ位置に配設されている。
【００３０】
（３−２）貯湯用循環回路
貯湯用循環回路２０は、貯湯タンク１１内の湯水に対してヒートポンプユニット８３で得られる熱を伝えるための回路であり、貯湯往き管２１、貯湯戻り管２２、沸き上げポンプＰ１、排水用三方弁６０、及び、沸き上げ三方弁２４を有している。
【００３１】
貯湯往き管２１は、貯湯タンク１１の下端部近傍と、ヒートポンプユニット８３内に位置する水熱交換器の水管２５の上流側端部とを接続する配管である。また、貯湯往き管２１は、貯湯タンク１１の下端部近傍と排水用三方弁６０とを接続する第１貯湯往き管２１ａと、排水用三方弁６０とヒートポンプ循環往き口１０ａとを接続する第２貯湯往き管２１ｂと、ヒートポンプ循環往き口１０ａと水熱交換器の水管２５の上流側端部とを接続する第３貯湯往き管２１ｃと、を含む。第２貯湯往き管２１ｂの途中には、沸き上げポンプＰ１が配設されている。沸き上げポンプＰ１は、排水用三方弁６０からの湯水をヒートポンプ循環往き口１０ａ側に送り出すためのポンプである。
【００３２】
貯湯戻り管２２は、水熱交換器の水管２５の下流側端部と貯湯タンク１１の上端部近傍及び下端部近傍とを接続する配管である。また、貯湯戻り管２２は、水熱交換器の水管２５の下流側端部とヒートポンプ循環戻り口１０ｂとを接続する第１貯湯戻り管２２ａと、ヒートポンプ循環戻り口１０ｂと沸き上げ三方弁２４とを接続する第２貯湯戻り管２２ｂと、沸き上げ三方弁２４と貯湯タンク１１の上端部とを接続する第３貯湯戻り管２２ｃと、沸き上げ三方弁２４と貯湯タンク１１の下端部とを接続する第４貯湯戻り管２２ｄと、を含む。
【００３３】
沸き上げ三方弁２４は、電動モータによりその弁体の開度が調整される電動式の弁である。沸き上げ三方弁２４は、制御装置９０の制御によりその弁体の開度が調整されることで、第１貯湯戻り管２２ａ側から第２貯湯戻り管２２ｂ側に流入する湯を、第３貯湯戻り管２２ｃに流して貯湯タンク１１の上端部から貯湯タンク１１内に流出させたり、第４貯湯戻り管２２ｄに流して貯湯タンク１１の下端部から貯湯タンク１１内に流出させたりする。
【００３４】
貯湯用循環回路２０では、沸き上げポンプＰ１が制御装置９０の制御により駆動することで、貯湯タンク１１内の湯水のうち下方に存在している温度の低い湯水を、貯湯往き管２１に流出させ、水熱交換器の水管２５を通過させることで温度上昇させつつ、貯湯戻り管２２を介して貯湯タンク１１の上端部近傍、或いは、貯湯タンク１１の下端部近傍に戻している。これにより、貯湯タンク１１内の湯水の温度を、比較的高温にすることができる。
【００３５】
排水用三方弁６０は、利用者が操作部（図示せず）を操作することで、その弁体の開度が調整される手動式の弁である。排水用三方弁６０は、利用者によりその弁体の状態が調整されることで、第１貯湯往き管２１ａ側から流れてきた湯水が第２貯湯往き管２１ｂ側に流出する状態と、第１貯湯往き管２１ａ側から流れてきた湯水が排出配管８０側に流出して排水口７４に向かう状態とに切り換えられる。なお、排水用三方弁６０は、通常は、第１貯湯往き管２１ａ側から流れてきた湯水が第２貯湯往き管２１ｂ側に流出する状態に設定されている。
【００３６】
（３−３）追焚熱交換器
追焚熱交換器１２は、貯湯タンク１１内の湯水が巡回する熱源管１２ａと、ケーシング１３外の浴槽１８にはられた湯又は水が循環する利用管１２ｂと、を有している。追焚熱交換器１２では、熱源管１２ａを流れる湯水と、利用管１２ｂを流れる湯又は水と、の間で熱交換を行わせることで、利用管１２ｂを流れる湯又は水の温度を上げることができる。
【００３７】
（３−４）追焚熱源回路
追焚熱源回路３０は、ケーシング１３外の浴槽１８にはられた湯又は水の温度を、貯湯タンク１１に蓄えられている湯水の有している熱を利用して、さらに上げるための熱源供給側の回路である。追焚熱源回路３０は、主に、熱源往き管３１、熱源戻り管３２、及び、熱源ポンプＰ３を有している。
【００３８】
熱源往き管３１は、貯湯タンク１１の上端部近傍と追焚熱交換器１２内の熱源管１２ａの上流側端部とを接続している。また、熱源往き管３１には、貯湯タンク１１側から流入した湯水の逆流を防止するための逆止弁Ｂ１が配設されている。なお、逆止弁Ｂ１は、熱源往き管３１の貯湯タンク１１と分岐点Ｎ１との間に配設されている。熱源戻り管３２は、追焚熱交換器１２内の熱源管１２ａの下流側端部と貯湯タンク１１の下端部近傍とを接続している。熱源ポンプＰ３は、熱源戻り管３２の途中に配設されている。
【００３９】
追焚熱源回路３０では、熱源ポンプＰ３が制御装置９０の制御により駆動することで、貯湯タンク１１内の湯水のうち上部に存在している高温の湯水を、熱源往き管３１に流出させ、追焚熱交換器１２内の熱源管１２ａを通過させることで温度低下させつつ、熱源戻り管３２を介して貯湯タンク１１の下端近傍に戻している。
【００４０】
また、追焚熱源回路３０は、沸き上げ運転時に発生する高温の膨張水を排水口７４に導くための第１排水管３４を有している。第１排水管３４は、熱源往き管３１の分岐点Ｎ１に分岐接続されており、後述する配管継手７０に接続されている。また、第１排水管３４には、負圧作動式逃がし弁３４ａが配設されている。負圧作動式逃がし弁３４ａは、貯湯タンク１１内の水圧が所定の水圧未満の場合には、その弁体を閉塞して、貯湯タンク１１内の湯水が、第１排水管３４を経て排水口７４から貯湯ユニット１０外に排出されることを禁止する。一方、貯湯タンク１１内の水圧が所定の水圧以上の場合は、その弁体を開成して、貯湯タンク１１内の湯水（膨張水）を、第１排水管３４を経て排水口７４から貯湯ユニット１０外に排出するものである。
【００４１】
（３−５）追焚利用回路
追焚利用回路４０は、貯湯タンク１１に蓄えられている湯水の有している熱を、追焚熱源回路３０を介して得るための回路である。また、追焚利用回路４０は、主に、利用往き管４１、利用戻り管４２、利用ポンプＰ２、外部配管４３，４５、及び、浴槽接続アダプター４４を有している。
【００４２】
利用往き管４１の一方の端部は、ふろ循環戻り口１０ｃを介して、外部配管４３に接続されている。また、利用往き管４１の他端部は、追焚熱交換器１２内の利用管１２ｂの上流側端部に接続されている。また、利用往き管４１には、通過する湯又は水の温度を検知するためのふろサーミスタＴ７が設けられている。さらに、利用ポンプＰ２は、利用往き管４１の途中に設けられている。
【００４３】
利用戻り管４２の一方の端部は、ふろ循環往き口１０ｄを介して、外部配管４５と接続されている。また、利用戻り管４２の他端部は、追焚熱交換器１２内の利用管１２ｂの下流側端部と接続されている。
【００４４】
外部配管４３は、利用往き管４１と浴槽接続アダプター４４とを接続している。外部配管４５は、利用戻り管４２と浴槽接続アダプター４４とを接続している。また、浴槽接続アダプター４４は、浴槽１８内に配置されており、浴槽１８内に湯を流出させたり、浴槽１８内から湯又は水を取り込んだりするものである。なお、外部配管４３，４５及び浴槽接続アダプター４４は、図１に示すように、ケーシング１３外に配置されている。
【００４５】
追焚利用回路４０では、利用ポンプＰ２が制御装置９０の制御により駆動することで、浴槽１８の湯又は水を、浴槽接続アダプター４４を介して外部配管４３側から利用往き管４１側に流出させ、追焚熱交換器１２内の利用管１２ｂを通過させることで温度上昇させつつ、利用戻り管４２及び外部配管４５を介して浴槽１８に戻している。これにより、浴槽１８の湯又は水の温度を上げることができ、追い炊きを実行することができる。
【００４６】
（３−６）給湯配管系
給湯配管系５０は、外部の市水等から水の供給を受けつつ、貯湯タンク１１に蓄えられている湯水を利用するための経路であって、給水管５１、出湯管５２、供給管５３、給湯混合弁５４、及び、お湯はり混合弁５５を有している。
【００４７】
給水管５１は、外部の市水等から供給される水の流れる配管であって、第１給水管５１ａと、第２給水管５１ｂと、第３給水管５１ｃと、を有する。
【００４８】
第１給水管５１ａは、貯湯ユニット１０外部の水源から供給される水が流れる外部給水管１７と、給湯混合弁５４とを接続している。外部給水管１７と第１給水管５１ａとは、給水接続口１０ｅを介して接続されている。第１給水管５１ａは、外部の水源から供給される常温の水を、分岐点Ｎ２，Ｎ３を介して、給湯混合弁５４に導く。また、第１給水管５１ａには、給水接続口１０ｅと分岐点Ｎ２との間に、逆止弁付きストレーナと、給水接続口１０ｅ側から流入した水の水圧を所定の水圧に減圧する減圧弁Ｒとが配設されている。逆止弁付きストレーナは、給水接続口１０ｅ側から流入した水に含まれるゴミを取るためのストレーナＳと、給水接続口１０ｅ側から流入した水の逆流を防止するための逆止弁Ｂ２とを含む。さらに、第１給水管５１ａには、分岐点Ｎ２近傍に、第１給水管５１ａを流れる水の温度を検出する水温サーミスタＴ８が配設されている。また、第１給水管５１ａには、給湯混合弁５４と分岐点Ｎ３との間に、分岐点Ｎ３側から流れてきた水の逆流を防止するための逆止弁Ｂ３が配設されている。
【００４９】
第２給水管５１ｂは、第１給水管５１ａの分岐点Ｎ３に分岐接続されており、第１給水管５１ａとお湯はり混合弁５５とを接続している。第２給水管５１ｂは、外部の水源から供給される常温の水を、第１給水管５１ａの分岐点Ｎ２，Ｎ３を介して、お湯はり混合弁５５に導く。
【００５０】
第３給水管５１ｃは、第１給水管５１ａの分岐点Ｎ２に分岐接続されており、第１給水管５１ａと貯湯タンク１１の下端部とを接続している。第３給水管５１ｃは、外部の水源から供給される常温の水を、第１給水管５１ａの分岐点Ｎ２を介して、貯湯タンク１１の下端近傍に導く。また、第３給水管５１ｃには、分岐点Ｎ２側から流入した水の逆流を防止するための逆止弁Ｂ４が配設されている。なお、外部給水管１７から第１給水管５１ａに流入する水は、その水圧により、分岐点Ｎ２を介して第３給水管５１ｃを流れて貯湯タンク１１に供給される。この結果、貯湯タンク１１は、常に満水状態に保たれている。
【００５１】
出湯管５２は、貯湯タンク１１内の湯水を浴槽１８以外の供給先である供給部１６に供給するための第１出湯管５２ａと、貯湯タンク１１内の湯水を浴槽１８に供給するための第２出湯管５２ｂと、を有する。
【００５２】
第１出湯管５２ａは、貯湯タンク１１の上端部と、給湯混合弁５４とを接続している。また、第１出湯管５２ａには、貯湯タンク１１に蓄えられている湯水のうち、上端部近傍に存在している比較的温度の高い湯水が流れる。また、第１出湯管５２ａには、貯湯タンク１１側から流入した湯水の逆流を防止するための逆止弁Ｂ５が配設されている。
【００５３】
第２出湯管５２ｂは、熱源往き管３１の分岐点Ｎ４に分岐接続されており、熱源往き管３１とお湯はり混合弁５５とを接続している。第２出湯管５２ｂは、貯湯タンク１１に蓄えられている湯水のうち上端部近傍に存在している比較的温度の高い湯水を、熱源往き管３１の一部を介して、お湯はり混合弁５５に導く。
【００５４】
供給管５３は、給水管５１を流れる常温の水と、貯湯タンク１１の上端部近傍から出湯管５２を通じて流れる高温の湯水と、の混合された湯水の流れる配管である。なお、供給管５３内には、第１給水管５１ａを流れる水の温度（常温）と、貯湯タンク１１の上端近傍に存在する湯水の温度と、の間の温度の湯水が流れる。また、供給管５３は、給湯混合弁５４に接続されている第１供給管５３ａと、お湯はり混合弁５５に接続されている第２供給管５３ｂと、を有している。
【００５５】
第１供給管５３ａの給湯混合弁５４に接続されている側の端部とは反対側の端部は、給湯接続口１０ｆを介して、外部配管９９に接続されている。外部配管９９は、供給部１６に接続されており、第１供給管５３ａを流れる湯水は、供給部１６側に流れる。また、第１供給管５３ａには、内部を流れる湯水の水量を検出する給湯水量センサＦＬＳ１と、第１供給管５３ａを流れる湯水の温度を検出する給湯サーミスタＴ９とが配設されている。なお、給湯サーミスタＴ９及び給湯水量センサＦＬＳ１は、所定時間（例えば、１秒）毎に検出した検出結果に関する情報を、制御装置９０に送信する。
【００５６】
第２供給管５３ｂのお湯はり混合弁５５に接続されている端部とは反対側の端部は、利用戻り管４２の分岐点Ｎ５に接続されている。言い換えると、第２供給管５３ｂは、追焚熱源回路３０の熱源往き管３１と、追焚利用回路４０の利用戻り管４２とをバイパスしている。
【００５７】
また、第２供給管５３ｂには、お湯はり水量センサＦＬＳ２と、お湯はりサーミスタＴ１０とが配設されている。お湯はり水量センサＦＬＳ２は、第２供給管５３ｂを流れる湯水の水量を検出するものである。お湯はりサーミスタＴ１０は、第２供給管５３ｂを流れる湯水の温度を検出するためのものである。さらに、第２供給管５３ｂには、複合水弁に含まれるお湯はり電磁弁ＳＶと、２つの逆止弁Ｂ６，Ｂ７とが配設されている。お湯はり電磁弁ＳＶは、電動モータによりその弁体の開度が調整されることで、利用戻り管４２に流入する湯水の水量を調整するものである。逆止弁Ｂ６，Ｂ７は、お湯はり水量センサＦＬＳ２を挟むように配置されている。逆止弁Ｂ６，Ｂ７は、第２供給管５３ｂを流れる湯水のお湯はり混合弁５５側への逆流、又は、浴槽１８からの湯水の逆流を防止する。
【００５８】
また、第２供給管５３ｂの分岐点Ｎ６には、第２供給管５３ｂを流れる湯水を排水口７４に導くための第２排水管５３ｃが分岐接続されている。なお、本実施形態では、分岐点Ｎ６は、逆止弁Ｂ６と、お湯はり水量センサＦＬＳ２との間に位置している。また、第２排水管５３ｃは、後述する配管継手７０に接続されている。さらに、第２排水管５３ｃには、複合水弁に含まれる排水弁５９が配設されている。排水弁５９は、その弁体が開成することで、第２供給管５３ｂに溜まった湯水を、第２排水管５３ｃを通じて排水口７４からケーシング１３外に排出するものである。排水弁５９は、電動式に構成されており、制御装置９０の制御により、その弁体の開度が調整されるようになっている。
【００５９】
給湯混合弁５４は、電動モータによりその弁体の開度が調整される電動式の弁である。給湯混合弁５４は、制御装置９０の制御により、その弁体の開度が調整されることで、第１出湯管５２ａからの湯水と第１給水管５１ａからの水とを所望の混合比率で混合し、その混合した湯水を、第１供給管５３ａ及び外部配管９９を通じて供給部１６に流出させる。
【００６０】
お湯はり混合弁５５は、電動モータによりその弁体の開度が調整される電動式の弁である。お湯はり混合弁５５は、制御装置９０の制御により、その弁体の開度が調整されることで、第２出湯管５２ｂからの湯水と第２給水管５１ｂからの水とを所望の混合比で混合し、その混合した湯水を、第２供給管５３ｂ及び利用戻り管４２の一部を通じて浴槽１８に流出させる。
【００６１】
（３−７）配管継手
配管継手７０は、貯湯ユニット１０において生じる全排水を集約し、集約した排水が１つの排水口７４から貯湯ユニット１０外部に排出されるように構成されている。具体的には、配管継手７０は、排水用三方弁６０に接続されている排出配管８０、第１排水管３４、及び、第２排水管５３ｃが接続される配管継手である。このため、複数の配管を流れる排水が１つの排水口７４から貯湯ユニット１０外部に排出される。
【００６２】
（４）制御装置の構成
制御装置９０は、各サーミスタＴ１〜Ｔ１０や各水量センサＦＬＳ１，ＦＬＳ２等の検出結果に基づき、各弁５４，５５，５９，ＳＶ、ヒートポンプユニット８３及び各ポンプＰ１，Ｐ２，Ｐ３等の各種機器を制御する。また、制御装置９０は、図２に示すように、コントローラ８５に接続されている。コントローラ８５は、利用者の操作を受け付けるものである。例えば、コントローラ８５は、供給部１６から供給される湯水の温度を設定可能な設定部８６を有している。設定部８６は、利用者が設定した設定温度に関する情報を、制御装置９０に送信する。また、制御装置９０は、開度調整部９１と、記憶部９２と、を備えている。なお、以下より、説明の便宜上、第１供給管５３ａを流れ、供給部１６から供給される湯水を、混合水という。
【００６３】
開度調整部９１は、給湯混合弁５４において混合される水と温水との混合割合を変更するために、給湯混合弁５４の開度を調整する。また、開度調整部９１は、利用者が設定部８６を操作することによって設定される設定温度、給湯サーミスタＴ９及び給湯水量センサＦＬＳ１の検知結果に基づいて、給湯混合弁５４の開度を調整する安定開度調整制御を行う。具体的には、開度調整部９１は、安定開度調整制御において、給湯サーミスタＴ９から送信される第１供給管５３ａを流れる混合水の温度に関する情報に基づく混合水の温度と、設定部８６から送信される設定温度に関する情報に基づく設定温度とが等しくなるように、給湯混合弁５４の開度を調整する。なお、安定開度調整制御は、供給部１６への混合水の供給時に行われる制御であり、開度調整部９１は、給湯水量センサＦＬＳ１から所定量（例えば、０ｍｌ）より多い水量検出に関する情報が送信されることで、供給部１６への供給が開始されたと判断し、安定開度調整制御を開始する。さらに、開度調整部９１は、供給部１６への混合水の供給が再開されたか否かを判断する。具体的には、開度調整部９１は、後述する供給休止状態であると判断した後、後述する給湯停止状態であると判断する前に、給湯水量センサＦＬＳ１から所定量より多い水量検出に関する情報が送信されることで、供給部１６への混合水の供給が再開されたと判断する。また、開度調整部９１は、後述する供給休止状態であると判断した後、給湯水量センサＦＬＳ１から所定量より多い水量検出に関する情報が送信される前に、後述する給湯停止状態であると判断した場合には、供給部１６への混合水の供給が再開されていないと判断する。また、以下では、説明の便宜上、安定開度調整制御時の給湯混合弁５４の開度を、所定開度という。また、開度調整部９１は、安定開度決定部９３と、休止開度決定部９４と、を有している。
【００６４】
安定開度決定部９３は、安定開度調整制御が行われている時の給湯混合弁５４の開度であって、給湯サーミスタＴ９の検知結果に基づく混合水の温度と設定温度との差が所定範囲（例えば、±０．５℃）内である状態が、所定時間（例えば、２秒）以上継続した時の開度を、安定開度（所定開度に相当）に決定する。なお、安定開度決定部９３によって決定された安定開度は、記憶部９２に記憶される。
【００６５】
休止開度決定部９４は、安定開度決定部９３によって決定された安定開度に基づいて、休止開度を決定する。具体的には、休止開度決定部９４は、安定開度のパルス量Ａに補正量αを加えた値（Ａ＋α）を、休止開度のパルス量に決定する。このようにして、休止開度決定部９４は、休止開度を決定する。また、休止開度決定部９４によって決定された休止開度は、記憶部９２に記憶される。なお、安定開度と休止開度との差、すなわち、安定開度からの補正量αは、予め実験等によって得られた値に基づいて決定されており、記憶部９２に記憶されている。また、本実施形態では、補正量αは、安定開度における混合水の水と温水との混合割合よりも水の割合が大きくなるように決定されている。このため、例えば、給湯混合弁５４の開度が休止開度に調整されている場合には、給湯混合弁５４の開度が安定開度に調整されている場合よりも、混合水における水の割合が大きくなる。
【００６６】
ここで、本実施形態では、安定開度における混合水の水と温水との混合割合よりも水の割合が大きくなるように補正量αが決定されているが、これに限定されず、安定開度における混合水の水と温水との混合割合よりも温水の割合が大きくなるように補正量αが決定されていてもよい。
【００６７】
さらに、開度調整部９１は、供給部１６への混合水の供給が停止した場合、供給休止状態であると判断する。具体的には、開度調整部９１は、給湯水量センサＦＬＳ１から所定量（例えば、０ｍｌ）より多い水量検出に関する情報が送信された後に、給湯水量センサＦＬＳ１から所定量（例えば、０ｍｌ）以下の水量検出に関する情報が送信されることで、供給休止状態であると判断する。そして、開度調整部９１は、供給休止状態であると判断した場合には、所定開度から休止開度となるように、給湯混合弁５４の開度を調整する。
【００６８】
また、開度調整部９１は、供給部１６への混合水の供給が所定時間（例えば、３０分）以上停止された場合、すなわち、給湯水量センサＦＬＳ１から所定量（例えば、０ｍｌ）以下の水量検出に関する情報が送信されてから所定時間が経過した場合には、供給停止状態であると判断し、給湯混合弁５４の開度が初期開度となるように、給湯混合弁５４の開度を調整する。ここで、本実施形態における初期開度とは、混合水における水の混合割合が１００％となる給湯混合弁５４の開度、すなわち、混合水における温水の混合割合が０％となる給湯混合弁５４の開度のことである。また、本実施形態では、初期開度が上記のように設定されているが、初期開度における混合水の水と温水との混合割合は、これに限定されない。また、初期開度は、予め記憶部９２に記憶されている。
【００６９】
（５）開度制御部による給湯混合弁の制御動作
次に、図３を用いて、開度調整部９１による給湯混合弁５４の制御動作について説明する。なお、以下では、給湯混合弁５４の開度が初期開度に調整されている場合、すなわち、開度調整部９１によって供給停止状態であると判断されてからの開度調整部９１による給湯混合弁５４の制御内容を説明している。
【００７０】
開度調整部９１は、供給が開始されたと判断した場合、安定開度調整制御を行う（ステップＳ１，ステップＳ２）。これにより、給湯混合弁５４の開度が、初期開度から所定開度に調整される。また、安定開度決定部９３は、安定開度調整制御が実行されている間に、安定開度を決定する（ステップＳ３）。さらに、安定開度決定部９３によって決定された安定開度は、記憶部９２に記憶される（ステップＳ３）。また、休止開度決定部９４は、安定開度決定部９３によって決定された安定開度に基づいて、休止開度を決定する（ステップＳ３）。そして、休止開度決定部９４によって決定された休止開度は、記憶部９２に記憶される（ステップＳ３）。
【００７１】
次に、開度調整部９１は、供給休止状態であると判断した時に、所定開度から、記憶部９２に記憶されている休止開度となるように、給湯混合弁５４の開度を調整する（ステップＳ４，ステップＳ５）。
【００７２】
そして、開度調整部９１は、供給停止状態であると判断する前に、供給部１６への混合水の供給が再開されたと判断した場合、判断した直後に、給湯混合弁５４の開度を、休止開度から、記憶部９２に記憶されている安定開度に調整する（ステップＳ６，ステップＳ７）。その後、開度調整部９１は、再び安定開度調整制御を行い、記憶部９２に記憶されている安定開度から、給湯混合弁５４の開度を更に調整する（ステップＳ２）。また、安定開度決定部９３は、今回の安定開度調整制御が実行されている間に、新たな安定開度を決定し、安定開度決定部９３によって決定された新たな安定開度が、安定開度として記憶部９２に記憶される（ステップＳ３）。また、休止開度決定部９４は、安定開度決定部９３によって決定された新たな安定開度に基づいて、新たな休止開度を決定する（ステップＳ３）。そして、休止開度決定部９４によって決定された新たな休止開度は、休止開度として記憶部９２に記憶される（ステップＳ３）。
【００７３】
また、開度調整部９１は、ステップＳ６において、供給停止状態であると判断した場合には、給湯混合弁５４の開度を、休止開度から初期開度に調整する（ステップＳ８）。
【００７４】
なお、ステップＳ２からステップＳ７までの処理は、ステップＳ６において供給停止状態であると判断されるまで、繰り返し行われる。
【００７５】
（６）特徴
（６−１）
従来より、第１給水管を流れる水と第１出湯管を流れる湯水（温水）とを混合した混合水を、蛇口等の供給部に供給する貯湯式給湯装置がある。このような貯湯式給湯装置では、混合水の供給が休止されてから再開されるまでの間、安定開度が維持されるように給湯混合弁が調整された場合、混合水の供給再開時の給湯混合弁の開度が安定開度であっても、供給再開直後に供給部に供給される混合水の温度が、設定温度よりも高く、或いは、低くなることがある（図４参照）。
【００７６】
そこで、本発明者は、鋭意検討した結果、混合水の供給休止中に、安定開度時の水と湯水との混合割合よりも水又は湯水の割合が大きい休止開度が維持されるように給湯混合弁を調整し、混合水の供給再開時に、給湯混合弁を安定開度に調整した場合には、供給再開直後に供給部に供給される混合水の温度が、設定温度に近づくことを見出した（図５参照）。
【００７７】
そして、本実施形態では、供給休止状態であると判断された場合、所定開度から、記憶部９２に記憶されている休止開度となるように、給湯混合弁５４の開度が調整される。また、供給部１６への混合水の供給が再開されたと判断された場合、給湯混合弁５４の開度が、休止開度から、記憶部９２に記憶されている安定開度に調整される。このため、供給部１６への混合水の供給再開直後に、設定温度と異なる温度の混合水が供給部１６に供給されるおそれを低減することができる。
【００７８】
これによって、利用者に不快感を与えるおそれを低減することができている。
【００７９】
（６−２）
本実施形態では、開度調整部９１は、給湯水量センサＦＬＳ１から所定量より多い水量検出に関する情報が送信されることで供給部１６への供給が開始されたと判断し、混合水の温度と設定温度とが等しくなるように、給湯混合弁５４の開度を調整する安定開度調整制御の実行を開始する。また、安定開度決定部９３は、安定開度調整制御が行われている時の給湯混合弁５４の開度であって、給湯サーミスタＴ９の検知結果に基づく混合水の温度と設定温度との差が所定範囲（例えば、±０．５℃）内である状態が、所定時間（例えば、２秒）以上継続した時の開度を、安定開度に決定する。このため、例えば、安定開度が設定温度と無関係な開度に決定される場合と比較して、供給再開後に供給部１６から供給される混合水の温度と、設定温度との差を小さくすることができている。
【００８０】
（６−３）
本実施形態では、開度調整部９１は、供給休止状態であると判断した後に、給湯水量センサＦＬＳ１から所定量より多い水量検出に関する情報が送信されることで供給部１６への供給が再開されたと判断している。また、開度調整部９１は、供給部１６への混合水の供給が再開されたと判断した場合、判断した直後に、給湯混合弁５４の開度を、休止開度から、記憶部９２に記憶されている安定開度に調整する。このように、供給が再開されたと判断されると、直ちに給湯混合弁５４の開度が安定開度に調整されるため、供給再開後に供給部１６から供給される混合水の温度と、設定温度との間に差を生じさせにくくすることができる。これにより、給湯再開後のアンダーシュートの発生を防止することができる。
【００８１】
（６−４）
本実施形態では、安定開度と休止開度との差、すなわち、安定開度からの補正量αは、予め実験等によって得られた値に基づいて決定されている。このため、安定開度と休止開度との間に、一定の差を設けることができる。そして、安定開度と休止開度との差が一定であるため、休止開度を安定開度に応じて変更することができる。この結果、日々異なる水や温水の温度によって変化する安定開度に応じた休止開度を決定することができる。
【００８２】
ここで、第１給水管を流れる水と第１出湯管を流れる湯水とを混合した混合水を、蛇口等の供給部に供給する貯湯式給湯装置において、供給部への混合水の供給が休止されてから再開されるまでの間、給湯混合弁の開度として安定開度が維持されている場合、供給部への混合水の供給再開時には、設定温度よりも高い温度の混合水が供給されることが多い。
【００８３】
そこで、本実施形態では、補正量αは、安定開度における混合水の水と温水との混合割合よりも水の割合が大きくなるように決定されている。このため、給湯混合弁５４の開度が休止開度に調整されている場合には、給湯混合弁５４の開度が安定開度に調整されている場合の混合水の水と温水との混合割合よりも水の割合が大きくなる。したがって、この貯湯式給湯装置では、供給部１６への混合水の供給再開時に、設定温度よりも高い温度の混合水が供給されるおそれを低減することができている。
【００８４】
（７）変形例
（７−１）変形例１Ａ
上記実施形態では、安定開度決定部９３によって決定された安定開度は、記憶部９２に記憶されている。これに代えて、安定開度が記憶されなくてもよい。また、安定開度が記憶されない場合には、開度調整部９１によって、供給部１６への混合水の供給が再開されたと判断されることで、給湯混合弁５４の開度が、休止開度から初期開度に調整されてもよい。
【００８５】
（７−２）変形例１Ｂ
上記実施形態では、補正量αは、予め実験等によって得られた値に基づいて決定されており、記憶部９２に記憶されている。これに加えて、補正量αを現地で補正できるようにしてもよい。
【００８６】
（７−３）変形例１Ｃ
上記実施形態では、供給再開が検知されると、直ちに給湯混合弁５４の開度が休止開度から安定開度に調整されている。
【００８７】
これに代えて、供給再開が検知された後、フィードバック制御により給湯混合弁の開度を、休止開度から徐々に安定開度に調整してもよい。また、このような場合には、補正量を、上記実施形態における補正量αよりも小さくしてもよい。
【００８８】
（７−４）変形例１Ｄ
上記実施形態では、第１供給管５３ａを流れる混合水の水量、各種運転モード（運転内容）及び設定温度等とは関係なく休止開度が決定されている。これに代えて、第１供給管５３ａを流れる混合水の水量、各種運転モード及び設定温度等が加味されて休止開度が決定されていてもよい。
【００８９】
＜第２実施形態＞
以下に、本発明の第２実施形態に係る貯湯式給湯装置について説明する。なお、本実施形態における貯湯式給湯装置において、（２）ヒートポンプユニットの構成、及び、（３）貯湯ユニットの構成については、上記第１実施形態と同様の構成であるため、以下では、（４）制御装置の構成、及び、（５）開度制御部による給湯混合弁の制御動作についての説明のみを行い、（１）から（３）については、説明を省略する。
【００９０】
（４）制御装置の構成
制御装置１９０は、各サーミスタＴ１〜Ｔ１０や各水量センサＦＬＳ１，ＦＬＳ２等の検出結果に基づき、各弁５４，５５，５９，ＳＶ、ヒートポンプユニット８３及び各ポンプＰ１，Ｐ２，Ｐ３等の各種機器を制御する。また、制御装置１９０は、図６に示すように、コントローラ１８５に接続されている。コントローラ１８５は、利用者の操作を受け付けるものである。例えば、コントローラ１８５は、供給部１６から供給される湯水の温度を設定可能な設定部１８６を有している。設定部１８６は、利用者が設定した設定温度に関する情報を、制御装置１９０に送信する。また、制御装置１９０は、開度調整部１９１と、記憶部１９２と、を備えている。なお、以下より、説明の便宜上、第１供給管５３ａを流れ、供給部１６から供給される湯水を、混合水という。
【００９１】
開度調整部１９１は、給湯混合弁５４において混合される水と温水との混合割合を変更するために、給湯混合弁５４の開度を調整する。また、開度調整部１９１は、利用者が設定部１８６を操作することによって設定される設定温度、給湯サーミスタＴ９及び給湯水量センサＦＬＳ１の検知結果に基づいて、給湯混合弁５４の開度を調整する安定開度調整制御を行う。具体的には、開度調整部１９１は、安定開度調整制御において、給湯サーミスタＴ９から送信される第１供給管５３ａを流れる混合水の温度に関する情報に基づく混合水の温度と、設定部１８６から送信される設定温度に関する情報に基づく設定温度とが等しくなるように、給湯混合弁５４の開度を調整する。なお、安定開度調整制御は、供給部１６への混合水の供給時に行われる制御であり、開度調整部１９１は、給湯水量センサＦＬＳ１から所定量（例えば、０ｍｌ）より多い水量検出に関する情報が送信されることで、供給部１６への供給が開始されたと判断し、安定開度調整制御を開始する。さらに、開度調整部１９１は、供給部１６への混合水の供給が再開されたか否かを判断する。具体的には、開度調整部１９１は、後述する供給休止状態であると判断した後、後述する給湯停止状態であると判断する前に、給湯水量センサＦＬＳ１から所定量より多い水量検出に関する情報が送信されることで、供給部１６への混合水の供給が再開されたと判断する。また、開度調整部１９１は、後述する供給休止状態であると判断した後、給湯水量センサＦＬＳ１から所定量より多い水量検出に関する情報が送信される前に、後述する給湯停止状態であると判断した場合には、供給部１６への混合水の供給が再開されていないと判断する。なお、以下では、説明の便宜上、安定開度調整制御時の開度を、所定開度という。
【００９２】
また、開度調整部１９１は、供給部１６への混合水の供給が停止した場合、供給休止状態であると判断する。具体的には、開度調整部１９１は、給湯水量センサＦＬＳ１から所定量（例えば、０ｍｌ）より多い水量検出に関する情報が送信された後に、給湯水量センサＦＬＳ１から所定量（例えば、０ｍｌ）以下の水量検出に関する情報が送信されることで、供給休止状態であると判断する。そして、開度調整部１９１は、供給休止状態であると判断した場合には、所定開度から、後述する休止開度となるように、給湯混合弁５４の開度を調整する。
【００９３】
なお、開度調整部１９１は、供給部１６への混合水の供給が所定時間（例えば、３０分）以上停止された場合、すなわち、給湯水量センサＦＬＳ１から所定量（例えば、０ｍｌ）以下の水量検出に関する情報が送信されてから所定時間が経過した場合には、供給停止状態であると判断し、給湯混合弁５４の開度が初期開度となるように、給湯混合弁５４の開度を調整する。ここで、本実施形態における初期開度とは、混合水における水の混合割合が１００％となる給湯混合弁５４の開度、すなわち、混合水における温水の混合割合が０％となる給湯混合弁５４の開度のことである。また、本実施形態では、初期開度が上記のように設定されているが、初期開度における混合水の水と温水との混合割合は、これに限定されない。また、初期開度は、予め記憶部１９２に記憶されている。
【００９４】
なお、本実施形態では、記憶部１９２には、給湯混合弁５４の開度は、パルス量で記憶されているものとする。また、開度調整部１９１は、安定開度決定部１９３と、休止開度決定部１９４と、を有している。
【００９５】
安定開度決定部１９３は、安定開度調整制御が行われている時の給湯混合弁５４の開度であって、給湯サーミスタＴ９の検知結果に基づく混合水の温度と利用者によって設定された設定温度との差が所定範囲（例えば、±０．５℃）内である状態が、所定時間（例えば、２秒）以上継続した時の開度を、安定開度（所定開度に相当）に決定する。なお、安定開度決定部１９３によって決定された安定開度は、記憶部１９２に記憶される。
【００９６】
休止開度決定部１９４は、供給部１６への混合水の供給が再開された後の混合水の温度変化に応じて、休止開度を決定する休止開度決定制御を行う。また、休止開度決定部１９４は、監視部１９５を有している。監視部１９５は、供給部１６への混合水の供給が再開された後の混合水の温度変化を監視する。具体的には、監視部１９５は、開度調整部１９１によって、供給部１６への混合水の供給が再開されたと判断された場合に、混合水の供給部１６への供給が再開された直後から所定時間（例えば、５秒）内の混合水の温度変化を監視する。なお、監視部１９５は、給湯サーミスタＴ９から送信される検知結果に基づいて、混合水の温度変化を監視する。より詳しくは、監視部１９５は、混合水の供給が再開された直後から所定時間内に給湯サーミスタＴ９から送信される温度のうちのピーク温度（最大温度、又は、最小温度）と、設定温度と、の差を、混合水の温度変化値ΔＴとして特定する（図４参照）。例えば、設定温度が「４０」℃であり、ピーク温度が「４３」℃である場合には、監視部１９５は、混合水の温度変化値ΔＴを「＋３」として特定する。
【００９７】
ここで、図７は、混合水の温度変化値範囲と補正量との対応関係を示すテーブルであって、このテーブルは記憶部１９２に記憶されている。
【００９８】
休止開度決定部１９４は、休止開度決定制御において、監視部１９５において特定された温度変化値ΔＴが、図７に示すテーブルのいずれの温度変化値範囲に入るかを把握し、把握した温度変化値範囲に応じた補正量を選択して抽出する。そして、休止開度決定部１９４は、休止開度のパルス量を、記憶部１９２に記憶されている安定開度のパルス量に補正量αを加えた値に決定する。例えば、監視部１９５において特定された温度変化値ΔＴが、「＋３」の場合には、休止開度決定部１９４は、当該温度変化値ΔＴが、＋２≦ΔＴ＜＋５の温度変化値範囲に入ることを把握し、補正量として「−５０」を選択して抽出する。そして、休止開度決定部１９４は、安定開度のパルス量Ａに補正量としての「−５０」を加えたパルス量（Ａ−５０）を、休止開度のパルス量に決定する。このようにして、休止開度決定部１９４は、休止開度を決定する。なお、休止開度決定部１９４によって決定された休止開度は、記憶部１９２に記憶される。
【００９９】
（５）開度制御部による給湯混合弁の制御動作
次に、図８を用いて、開度調整部１９１による給湯混合弁５４の制御動作について説明する。なお、以下では、給湯混合弁５４の開度が初期開度に調整されている場合、すなわち、開度調整部１９１によって供給停止状態であると判断された状態からの開度調整部１９１による給湯混合弁５４の制御内容を説明している。
【０１００】
開度調整部１９１は、供給部１６への混合水の供給が開始されたと判断した場合、安定開度制御を行う（ステップＳ２１，ステップＳ２２）。これにより、給湯混合弁５４の開度が、初期開度から所定開度に調整される。また、安定開度決定部１９３は、安定開度調整制御の実行中に、安定開度を決定する（ステップＳ２３）。さらに、安定開度決定部１９３によって決定された安定開度は、パルス量で記憶部１９２に記憶される（ステップＳ２３）。
【０１０１】
次に、開度調整部１９１は、供給休止状態であると判断した後、供給停止状態であると判断する前に、供給が再開されたと判断した場合には、再び、安定開度調整制御を行う（ステップＳ２４，ステップＳ２５，ステップＳ２６）。なお、ステップＳ２４で供給休止状態であると判断されてから、ステップＳ２５で供給が再開されたと判断されるまで、給湯混合弁５４の開度は、安定開度で維持されている。そして、ステップＳ２６において安定開度調整制御を再び行うことで、開度調整部１９１は、給湯混合弁５４の開度を、記憶部１９２に記憶されている安定開度から所定開度に調整する。また、安定開度決定部１９３は、今回の安定開度調整制御中に、新たな安定開度を決定する。そして、安定開度決定部１９３によって決定された新たな安定開度は、パルス量で安定開度として記憶部１９２に記憶される。
【０１０２】
また、ステップＳ２６において安定開度調整制御が実行され、安定開度決定部１９３によって新たに安定開度が決定され、新たな安定開度が記憶部１９２に記憶された後に、休止開度決定部１９４によって、休止開度決定制御が行われる（ステップＳ２７）。そして、休止開度決定部１９４によって、休止開度が決定された場合、決定された休止開度が、パルス量で記憶部１９２に記憶される（ステップＳ２８）。
【０１０３】
そして、開度調整部１９１は、供給休止状態であると判断した場合には、給湯混合弁５４の開度を、所定開度から、記憶部１９２に記憶されている休止開度に調整する（ステップＳ２９，ステップＳ３０）。
【０１０４】
その後、開度調整部１９１は、供給停止状態であると判断する前に、供給が再開されたと判断した場合には、供給が再開されたと判断した直後に、休止開度から、記憶部１９２に記憶されている安定開度に、給湯混合弁５４の開度を調整する（ステップＳ３１，ステップＳ３２）。そして、その後、開度調整部１９１は、再び安定開度調整制御を行う（ステップＳ３３）。
【０１０５】
また、開度調整部１９１は、ステップＳ２５、或いは、ステップＳ３１において、供給が再開されたと判断する前に、供給停止状態であると判断した場合には、給湯混合弁５４の開度を、休止開度から初期開度に調整する（ステップＳ３４）。
【０１０６】
なお、ステップＳ２９からステップＳ３２までの処理は、ステップＳ３１において供給停止状態であると判断されるまで、繰り返し行われる。
【０１０７】
（６）特徴
（６−１）
本実施形態では、休止開度決定部１９４によって、供給部１６への混合水の供給が再開された後の混合水の温度変化に応じて休止開度を決定する休止開度決定制御が行われる。また、供給休止状態であると判断された場合には、給湯混合弁５４の開度が、所定開度から、記憶部１９２に記憶されている休止開度に調整されている。また、混合水の供給が再開された場合には、休止開度から、記憶部１９２に記憶されている安定開度に、給湯混合弁５４の開度が調整されている。このため、混合水の供給再開直後に、設定温度と異なる温度の混合水が供給部１６に供給されるおそれを低減することができている。
【０１０８】
（６−２）
本実施形態では、開度調整部１９１は、給湯水量センサＦＬＳ１から所定量より多い水量検出に関する情報が送信されることで供給部１６への混合水の供給が開始されたと判断し、混合水の温度と設定温度とが等しくなるように、給湯混合弁５４の開度を調整する安定開度調整制御の実行を開始する。また、安定開度決定部１９３は、安定開度調整制御が行われている時の給湯混合弁５４の開度であって、給湯サーミスタＴ９の検知結果に基づく混合水の温度と利用者によって設定された設定温度との差が所定範囲（例えば、±０．５℃）内である状態が、所定時間（例えば、２秒）以上継続した時の開度を、安定開度に決定する。このため、例えば、安定開度が設定温度と無関係な開度に決定される場合と比較して、給湯再開後に供給部１６から供給される混合水の温度と、設定温度との差を小さくすることができている。
【０１０９】
（６−３）
本実施形態では、開度調整部１９１が、供給休止状態であると判断した後に給湯水量センサＦＬＳ１から所定量より多い水量検出に関する情報が送信されることで、供給部１６への混合水の供給が再開されたと判断している。また、開度調整部１９１は、供給部１６への混合水の供給が再開されたと判断した場合、判断した直後に、給湯混合弁５４の開度を、休止開度から、記憶部１９２に記憶されている安定開度に調整する。このように、供給再開が検知されると、直ちに給湯混合弁５４の開度が安定開度に調整されるため、供給再開後に供給部１６から供給される混合水の温度と、設定温度との間に差を生じさせにくくすることができる。これにより、供給再開後のアンダーシュートの発生を防止することができる。
【０１１０】
（６−４）
本実施形態では、休止開度決定部１９４は、供給部１６への混合水の供給が再開された後の混合水の温度変化を監視する監視部１９５を有している。また、休止開度決定部１９４は、監視部１９５において特定された温度変化値ΔＴが、記憶部１９２に記憶されているテーブルのいずれの温度変化値範囲に入るかを把握し、把握した温度変化値範囲に応じた補正量を選択して抽出する。そして、休止開度決定部１９４は、休止開度のパルス量を、記憶部１９２に記憶されている安定開度のパルス量に補正量αを加えた値に決定する。このように、この貯湯式給湯装置では、供給される混合水の温度変化に応じて、休止開度を決定することができる。
【０１１１】
（７）変形例
（７−１）変形例２Ａ
上記実施形態では、開度調整部１９１によって供給部１６への混合水の供給が開始されたと判断されてから供給停止状態であると判断されるまでの間に、休止開度決定部１９５による休止開度調整制御が１度だけ行われている。
【０１１２】
これに代えて、開度調整部１９１によって供給部１６への混合水の供給が開始されたと判断されてから供給停止状態であると判断されるまでの間に、休止開度調整制御が複数回行われてもよい。以下には、開度調整部１９１によって、供給部１６への混合水の供給が開始されたと判断されてから供給停止状態であると判断されるまでの間に、休止開度調整制御が、複数回行われる場合について説明する。
【０１１３】
休止開度決定部１９４は、供給部１６への混合水の供給が再開された後の混合水の温度変化に応じて、休止開度を決定する休止開度決定制御を行う。また、休止開度決定制御には、第１休止開度決定制御と、第２休止開度決定制御とが含まれる。
【０１１４】
第１休止開度決定制御は、開度調整部１９１によって供給停止状態と判断された後、初めて休止開度が決定される時に行われる制御である。第２休止開度決定制御は、第１休止開度決定制御が行われた後に休止開度が決定される時に行われる制御である。なお、以下より、説明の便宜上、第１休止開度決定制御において決定される休止開度を、第１休止開度といい、第２休止開度決定制御において決定される休止開度を、第２休止開度という。また、休止開度決定部１９４は、監視部１９５を有している。なお、監視部１９５の機能は、上記実施形態と同様であるため、ここでは説明を省略する。
【０１１５】
休止開度決定部１９４は、休止開度決定制御において、監視部１９５において特定された温度変化値ΔＴが、図７に示すテーブルのいずれの温度変化値範囲に入るかを把握し、把握した温度変化値範囲に応じた補正量を選択して抽出する。そして、休止開度決定部１９４は、休止開度のパスル量を、記憶部１９２に記憶されている安定開度のパルス量Ａ或いは記憶部１９２に記憶されている休止開度のパルス量Ｂ，Ｃに補正量αを加えた値に決定する。
【０１１６】
例えば、休止開度決定部１９４によって、第１休止開度決定制御が行われる場合であって、監視部１９５において特定された温度変化値ΔＴが「＋３」の場合には、休止開度決定部１９４は、当該温度変化値ΔＴが、＋２≦ΔＴ＜＋５の温度変化値範囲に入ることを把握し、補正量として「−５０」を選択して抽出する。そして、休止開度決定部１９４は、安定開度のパルス量Ａに補正量としての「−５０」を加えたパルス量（Ａ−５０）を、第１休止開度のパルス量Ｂに決定する。
【０１１７】
また、例えば、休止開度決定部１９４によって、第２休止開度決定制御が行われる場合であって、監視部１９５において特定された温度変化値ΔＴが、「＋３」の場合には、休止開度決定部１９４は、当該温度変化値ΔＴが、＋２≦ΔＴ＜＋５の温度変化値範囲に入ることを把握し、補正量として「−５０」を選択して抽出する。そして、休止開度決定部１９４は、記憶部１９２に記憶されている休止開度である第１休止開度のパルス量Ｂに補正量としての「−５０」を加えたパルス量（Ｂ−５０）を、第２休止開度のパルス量Ｃに決定する。なお、休止開度決定部１９４は、２回目以降の第２休止開度決定制御を行う場合には、第２休止開度のパルス量Ｃに補正量αを加えたパルス量（Ｃ＋α）を、新たな第２休止開度のパルス量Ｃに決定する。
【０１１８】
次に、図９を用いて、開度調整部１９１による給湯混合弁５４の制御動作について説明する。なお、以下では、給湯混合弁５４の開度が初期開度に調整されている場合、すなわち、開度調整部１９１によって供給停止状態であると判断された状態からの開度調整部１９１による給湯混合弁５４の制御内容を説明している。
【０１１９】
開度調整部１９１は、供給部１６への混合水の供給が開始されたと判断した場合、安定開度制御を行う（ステップＳ５１，ステップＳ５２）。これにより、給湯混合弁５４の開度が、初期開度から所定開度に調整される。また、安定開度決定部１９３は、安定開度調整制御の実行中に、安定開度を決定する（ステップＳ５３）。さらに、安定開度決定部１９３によって決定された安定開度は、パルス量で記憶部１９２に記憶される（ステップＳ５３）。
【０１２０】
次に、開度調整部１９１は、供給休止状態であると判断した後、供給停止状態であると判断する前に、供給部１６への混合水の供給が再開されたと判断した場合には、再び、安定開度調整制御を行う（ステップＳ５４，ステップＳ５５，ステップＳ５６）。なお、ステップＳ５４で供給休止状態であると判断されてから、ステップＳ５５で供給が再開されたと判断されるまで、給湯混合弁５４の開度は、安定開度で維持されている。そして、ステップＳ５６において安定開度調整制御を再び行うことで、開度調整部１９１は、記憶部１９２に記憶されている安定開度から所定開度に調整する。また、安定開度決定部１９３は、今回の安定開度調整制御中に、新たな安定開度を決定する。そして、安定開度決定部１９３によって決定された新たな安定開度は、パルス量で安定開度として記憶部１９２に記憶される。
【０１２１】
また、ステップＳ５６において安定開度調整制御が実行され、安定開度決定部１９３によって新たに安定開度が決定された後に、休止開度決定部１９４によって、第１休止開度決定制御が行われる（ステップＳ５７）。そして、休止開度決定部１９４によって、第１休止開度が決定された場合、決定された第１休止開度が、パルス量で記憶部１９２に記憶される。
【０１２２】
その後、開度調整部１９１は、供給休止状態であると判断した場合には、給湯混合弁５４の開度を、所定開度から、記憶部１９２に記憶されている第１休止開度に調整する（ステップＳ５８，ステップＳ５９）。
【０１２３】
そして、開度調整部１９１は、供給停止状態と判断する前に、混合水の供給が再開されたと判断した場合には、混合水の供給が再開されたと判断した直後に、第１休止開度から、記憶部１９２に記憶されている安定開度に、給湯混合弁５４の開度を調整する（ステップＳ６０）。そして、その後、開度調整部１９１は、再び安定開度調整制御を行う（ステップＳ６１）。また、ステップＳ６１において安定開度調整制御が実行され、安定開度決定部１９３によって新たな安定開度が決定されると、新たな安定開度がパルス量で記憶部１９２に記憶される。その後、休止開度決定部１９４によって、第２休止開度決定制御が行われる（ステップＳ６２）。ステップＳ６２において第２休止開度決定制御が実行され、休止開度決定部１９４によって、第２休止開度が決定された場合、決定された第２休止開度が、パルス量で記憶部１９２に記憶される。
【０１２４】
その後、開度調整部１９１は、供給休止状態であると判断した場合には、給湯混合弁５４の開度を、所定開度から、記憶部１９２に記憶されている第２休止開度に調整する（ステップＳ６３，ステップＳ６４）。そして、開度調整部１９１は、供給停止状態と判断する前に、混合水の供給が再開されたと判断した場合には、混合水の供給が再開されたと判断した直後に、第２休止開度から、記憶部１９２に新たに記憶された安定開度に、給湯混合弁５４の開度を調整し、その後、安定開度調整制御を行う（ステップＳ６０，ステップＳ６１）。
【０１２５】
また、開度調整部１９１は、ステップＳ５５、或いは、ステップＳ６０において、供給部１６への混合水の供給が再開されたと判断する前に、供給停止状態であると判断した場合には、給湯混合弁５４の開度を、休止開度から初期開度に調整する（ステップＳ６５）。
【０１２６】
なお、ステップＳ６０からステップＳ６４までの処理は、ステップＳ６０において供給停止状態であると判断されるまで、繰り返し行われる。
【０１２７】
このように、この貯湯式給湯装置では、開度調整部１９１によって混合水の供給が開始されたと判断されてから供給停止状態であると判断されるまでの間であって、混合水の供給が再開される毎に、休止開度決定部１９４によって休止開度が決定されることで、混合水の供給再開直後に、設定温度と異なる温度の混合水が供給部１６に供給されるおそれを更に低減することができる。
【０１２８】
（７−２）変形例２Ｂ
上記実施形態では、休止開度決定部１９４は、休止開度のパルス量を、記憶部１９２に記憶されている安定開度のパルス量に補正量αを加えた値に決定している。
【０１２９】
これに代えて、休止開度決定部が、休止開度のパルス量を、記憶部に記憶されている初期開度のパルス量に補正量αを加えた値に決定してもよい。
【０１３０】
（７−３）変形例２Ｃ
上記実施形態では、混合水の温度変化値範囲と補正量との対応関係を示すテーブルは、記憶部１９２に記憶されている。これに加えて、補正量αを、現地で補正できるようにしてもよい。
【０１３１】
（７−４）変形例２Ｄ
上記実施形態では、供給部１６への混合水の供給再開が検知されると、直ちに給湯混合弁５４の開度が第１休止開度、或いは、第２休止開度から安定開度に調整されている。
【０１３２】
これに代えて、供給部１６への混合水の供給再開が検知された後、フィードバック制御により給湯混合弁の開度を、第１休止開度、或いは、第２休止開度から徐々に安定開度に調整してもよい。また、このような場合には、補正量を、上記実施形態における補正量αよりも小さくしてもよい。
【０１３３】
（７−５）変形例２Ｅ
上記実施形態では、補正量αが、第１供給管５３ａを流れる混合水の水量、各種運転モード（運転内容）及び設定温度等とは関係なく決定されている。これに代えて、補正量αが、第１供給管５３ａを流れる混合水の水量、各種運転モード及び設定温度等が加味されて決定されていてもよい。
【産業上の利用可能性】
【０１３４】
本発明は、利用者に不快感を与えるおそれを低減することができる給湯装置の発明であり、給水管を流れる水と給湯管を流れる温水とを混合した混合水を供給部に供給する給湯装置への適用が有効である。
【符号の説明】
【０１３５】
１      貯湯式給湯装置（給湯装置）
５１ａ    第１給水管（給水管）
５２ａ    第１出湯管（給湯管）
５３ａ    第１供給管（供給管）
５４      給湯混合弁（混合弁）
９０      制御装置（制御部）
１９５      監視部
８６，１８６  設定部
９１，１９１  開度調整部（判断部）
【先行技術文献】
【特許文献】
【０１３６】
【特許文献１】特開２００６−１２５７７３号公報
【図１】
0005598322.tif 000002
【図２】
0005598322.tif 000003
【図３】
0005598322.tif 000004
【図４】
0005598322.tif 000005
【図５】
0005598322.tif 000006
【図６】
0005598322.tif 000007
【図７】
0005598322.tif 000008
【図８】
0005598322.tif 000009
【図９】
0005598322.tif 000010